(57)【特許請求の範囲】
【請求項１】
葉書本体片と、葉書本体片の表裏それぞれに剥離可能に接着される貼着片とからなり、前記一方の貼着片の一辺部側とこの貼着片の一辺部側に対応する葉書本体片の一辺部側とが剥離困難に接着される構成を備えた重ね合わせ葉書用シートにおいて、
葉書本体片に、埋め込み情報の複数文字を分散配置した受取人通知内容で構成された隠蔽情報を設け、葉書本体片の前記隠蔽情報の表示面に重ね合わされる一方の貼着片に、前記埋め込み情報の文字位置に対応して複数の透孔が開口され、この透孔を有する貼着片の重ね合わせにより前記透孔から隠蔽情報中の前記埋め込み情報の文字のみが表出される構成としたことを特徴とする重ね合わせ葉書用シート。
【発明の詳細な説明】
【０００１】
【発明の属する技術分野】
本発明は重ね合わせを行って葉書を得ることのできる重ね合わせ葉書用シートに関するものである。
【０００２】
【発明が解決しようとする課題】
従来から葉書においては、封筒と同様の親展性を付与するために隠蔽ラベルを葉書に剥離可能に貼着して、受取人がその隠蔽ラベルを剥ぎ取ることで隠蔽された情報を判読できるようにした工夫があるとともに、受取人への通知情報をより多く盛り込むようにするため、葉書本体片の表裏に貼着片を剥離可能に接着し、貼着片と葉書本体片との対向する面それぞれに情報を設けるようにした重ね合わせ葉書がある。特に貼着片を剥離可能に接着した後者のタイプの葉書にあっては、受取人であってもその貼着片を見開くまでは内部に隠蔽されている通知情報が判らず、受取人側が興味を示して貼着片を剥ぎ取り通知情報を見る度合いが高いと考えられていたため、ダイレクトメールなどとしてこの重ね合わせ葉書が採用されてきた。
しかしながら、現在では、上述の葉書本体片の表裏に貼着片を剥離可能に接着した親展性を有する重ね合わせ葉書が非常に多く利用されているため、ダイレクトメールとして送られてきた重ね合わせ葉書では受取人側が示す興味の度合いがかなり低く、貼着片を剥ぎ取らないケースが多くなってきているという問題がある。
そこで本発明は上記した事情に鑑み、隠された通知情報に対して受取人が高い興味を示すようになる形態の重ね合わせ葉書を得ることを課題とし、重ね合わせ葉書において隠蔽情報の通知効果を高めることを目的とする。
【０００３】
【課題を解決するための手段】
本発明は上記課題を考慮してなされたもので、葉書本体片と、葉書本体片の表裏それぞれに剥離可能に接着される貼着片とからなり、前記一方の貼着片の一辺部側とこの貼着片の一辺部側に対応する葉書本体片の一辺部側とが剥離困難に接着される構成を備えた重ね合わせ葉書用シートにおいて、葉書本体片に、埋め込み情報の複数文字を分散配置した受取人通知内容で構成された隠蔽情報を設け、葉書本体片の前記隠蔽情報の表示面に重ね合わされる一方の貼着片に、前記埋め込み情報の文字位置に対応して複数の透孔が開口され、この透孔を有する貼着片の重ね合わせにより前記透孔から隠蔽情報中の前記埋め込み情報の文字のみが表出される構成としたことを特徴とする重ね合わせ葉書用シートを提供して、上記課題を解消するものである。
【０００４】
【発明の実施の形態】
つぎに本発明を図１から図２に示す実施の形態に基づいて詳細に説明する。
図中１は重ね合わせ葉書用シートで、該重ね合わせ葉書用シート１は、図１に示すように、葉書本体片２と二枚の貼着片３，４とが折り部５を介して連接してなり、この重ね合わせ葉書用シート１を折り部５からＺ状に折ったときに前記葉書本体片２が真ん中となるように重ね合わせ可能に設けられている。前記貼着片３は重ね合わせしたときに重ね合わせ葉書の上面側となる紙片であり折り罫として構成された折り部５によって前記葉書本体片２の一辺に連接され、他方の貼着片４にあっては、折り兼切り取りミシン目として構成されている折り部５を介して一方の貼着片３とは反対側である葉書本体片２のもう一方の辺に連接されている。
上記貼着片３は、この重ね合わせ葉書用シート１をＺ状にして三紙片を重ね合わせたときに重ね合わせ葉書の上面側となる紙片として構成されているもので、その重ね合わせ葉書の形態としたときに葉書表面となる面側には宛名情報記載部３０が設けられている。他方の貼着片４にあっても、重ね合わせ葉書の下面側となる紙片として構成されているものであり、その重ね合わせ葉書の形態としたときに葉書裏面となる表面は第三者に読み取られてもよい情報を記載する情報記載部４０が設けられている。
そして、Ｚ折りの重ね合わせで対向する三紙片の対向面それぞれには隠蔽情報を記載する通知情報記載部６が設けられている。
【０００５】
また、上記三紙片２、３、４においてＺ折りの重ね合わせで対向する三紙片の対向面それぞれには、所要の圧力を付与することで接着力を生じる接着剤を塗付しその上に接着剤の接着力を調整する調整剤を施してなり、あるいは前記調整剤と接着剤とを混合してなる接着手段７が設けられており、前述しているようにＺ状に三紙片２、３、４を重ね合わせして上下方向から所要の圧力を加えることで対向面それぞれが剥離可能に接着され、葉書本体片２を間にしてその上面側に貼着片３が、下面側に貼着片４が位置する重ね合わせ葉書８が得られるようにしている。さらに、重ね合わせしたときに対向する前記貼着片３の葉書本体片２側の一辺部３１と葉書本体片２の前記貼着片３側の一辺部２０とは剥離困難に接着される部分であって、前記調整剤を施さないようにした接着手段７ａが設けられ、前述のようにＺ状に三紙片２、３、４を重ね合わせて所要の圧力を加えるようにすることで、この部分で、即ち、貼着片３の一辺部３１と葉書本体片２の一辺部２０とが剥離困難にして接着されるようにしている。この剥離困難に接着される前記貼着片３の一辺部３１にはその表面側に葉書表示９が設けられており、一辺部３１が葉書本体片２と一体となることで葉書本体を構成するようにしている。
【０００６】
上記重ね合わせ葉書用シート１においては、図１に示すように貼着片４の所定位置に複数の透孔１０が開口しているとともに、上記Ｚ折りして重ね合わせたときに前記透孔１０が設けられている領域に対応する葉書本体片２側の通知情報記載部６には通知情報１１が設けられている。この通知情報１１自体は、重ね合わせ葉書８の形態からこの透孔１０を備える貼着片４を剥ぎ取ったりめくったりしたときに受取人側で判読できる文字から構成されているものであって、受取人側に通知する内容を備える。さらに、この通知情報１１中には、図示の如く前記貼着片４を重ね合わせた時に透孔１０から表出するようにその透孔１０それぞれの位置に対応するように複数文字を分散配置した位置にしてなる埋め込み情報１２が含まれており、この貼着片４を葉書本体片２に重ね合わせた重ね合わせ葉書８の形態となっている時点において、前述した透孔１０から前記埋め込み情報１２のみが表出している。この表出する埋め込み情報１２も受取人へ通知する内容を表わすものとして構成されているものである。そして、重ね合わせ葉書８の形態の時点でこの埋め込み情報１２のみが表われた状態となっていることから、受取人側ではその埋め込み情報１２を判読するとともに、貼着片４で隠蔽されている通知情報１１がなんであるか確認したいという興味が生じるようになり、よって、貼着片４をめくって前記通知情報１１が判読される機会が多くなり、めくった貼着片４自体の対向面側にも通知情報が記載されているような場合にはその通知情報も判読される度合いが高くなる。
【０００７】
また、葉書本体片２における上記貼着片３が重ね合わされる側の通知情報記載部６にも、上記透孔１０に対応する埋め込み情報１２を有する通知情報１１を記載してもよく、貼着片３を見開いた後に上記折り部５から貼着片４を折り返して重ね合わせることでこの貼着片３側における通知情報１１から埋め込み情報１２を確認できるようにしてもよい。この場合、折り部５から貼着片４を切り離して重ね合わせるようにしてもよく、さらに切り離した貼着片４の重ね位置を示しておくようにすることで、通知情報１１の中に隠し置かれた埋め込み情報１２を、重ね合わされた貼着片４の透孔１０から導き出せるようにする構成を採るようにしてもよい。勿論、埋め込み情報を有する通知情報を貼着片３の対向面側に設けるようにして貼着片４の重ね合わせで埋め込み情報を表示させるようにしてもよい。
なお、上記した実施の例では貼着片と葉書本体片とが折り部を介して連接し、葉書裏面側の貼着片が折り部を中心にして見開きできる重ね合わせ葉書が得られるものとして示されているが、本発明はこの例に限定されるものではなく、Ｚ折りしたのちに折り部に沿った辺部を切断除去する葉書作成方法に対応するようにその折り部側に切り取り部を介在させた重ね合わせ葉書用シートも構成でき、さらに、それぞれ単紙片とした貼着片と葉書本体片とでこの重ね合わせ葉書用シートが構成されていてもよい。
【０００８】
【発明の効果】
以上説明したように、本発明の重ね合わせ葉書用シートによれば、葉書本体片と、葉書本体片の表裏それぞれに剥離可能に接着される貼着片とからなり、前記一方の貼着片の一辺部側とこの貼着片の一辺部側に対応する葉書本体片の一辺部側とが剥離困難に接着される構成を備えた重ね合わせ葉書用シートにおいて、葉書本体片に、埋め込み情報の複数文字を分散配置した受取人通知内容で構成された隠蔽情報を設け、葉書本体片の前記隠蔽情報の表示面に重ね合わされる一方の貼着片に、前記埋め込み情報の文字位置に対応して複数の透孔が開口され、この透孔を有する貼着片の重ね合わせにより前記透孔から隠蔽情報中の前記埋め込み情報の文字のみが表出される構成としたことを特徴とするものである。
このように、重ね合わせたときに貼着片に設けられた透孔から表出する情報をその貼着片が重ね合わされる対向面側の情報記載部分に設けるようにしたので、重ね合わせ葉書とした形態の時点でその透孔から情報が見える新規な形態の重ね合わせ葉書となり、隠されている通知情報を見るようにしたいとの興味を葉書受取人側に生じさ、その興味によって貼着片が剥ぎ取られ易くなって通知したい隠蔽情報が判読されやすくなるなど、実用性に優れた効果を奏するものである。
【図面の簡単な説明】
【図１】  本発明に係る重ね合わせ葉書用シートの一例を示すもので、（イ）は一方の片面を示す説明図、（ロ）はもう一方の片面を示す説明図である。
【図２】  一例によりなる重ね合わせ葉書を示す説明図である。
【符号の説明】
１…重ね合わせ葉書用シート
２…葉書本体片
３、４…貼着片
３０…宛名情報記載部
５…折り部
６…通知情報記載部
７、７ａ…接着手段
８…重ね合わせ葉書
９…葉書表示
１０…透孔
１１…通知情報
１２…埋め込み情報
【図１】
0003876072.tif 000002
【図２】
0003876072.tif 000003